(57)【要約】【課題】開蓋した際に、水滴が周囲に飛び散り難く、衣服などを汚す恐れが少ない容器を提供することである。【解決手段】容器本体と、前記容器本体の開口部を閉蓋する天面部および側面部を有する蓋体とを具備した容器において、前記蓋体の側面部の内面に付着した水滴が前記容器本体内に落下するのを誘導する為の水滴落下誘導用凸部が、該蓋体の側面部内面に構成されてなる容器。【選択図】図１
2010264996.tif 000002
【特許請求の範囲】
【請求項１】
容器本体と、前記容器本体の開口部を閉蓋する天面部および側面部を有する蓋体とを具備した容器において、
前記蓋体の側面部の内面に付着した水滴が前記容器本体内に落下するのを誘導する為の水滴落下誘導用凸部が、該蓋体の側面部内面に構成されてなる
ことを特徴とする容器。
【請求項２】
前記水滴落下誘導用凸部は、前記蓋体の側面部の内面に付着した水滴の前記容器本体内への落下誘導位置が該容器本体における稜線部より内側の位置であるよう構成されてなる
ことを特徴とする請求項１の容器。
【請求項３】
前記水滴落下誘導用凸部は、その横幅寸法が上部から下部に向って連続的に小さくなる形状に構成されてなる
ことを特徴とする請求項１又は請求項２の容器。
【請求項４】
前記水滴落下誘導用凸部は、その下端における横幅寸法が４ｍｍ以下である
ことを特徴とする請求項１〜請求項３いずれかの容器。
【請求項５】
前記水滴落下誘導用凸部は、側面部に対する垂直な断面での形状が略レ字形状に構成されてなる
ことを特徴とする請求項１〜請求項４いずれかの容器。
【請求項６】
前記蓋体の側面部は、天面部に繋がる上側面部と、前記上側面部の下端に繋がり、該上側面部の外側に拡がる拡幅面部と、前記拡幅面部の外端に繋がる下側面部とを有し、
前記上側面部は、前記蓋体の閉蓋時において、前記容器本体の開口部の内側に位置するよう構成されたものであり、
前記水滴落下誘導用凸部は前記上側面部に設けられてなる
ことを特徴とする請求項１〜請求項４いずれかの容器。
【請求項７】
前記蓋体の側面部は、天面部に繋がる上側面部と、前記上側面部の下端に繋がり、該上側面部の外側に拡がる拡幅面部と、前記拡幅面部の外端に繋がる下側面部とを有し、
前記上側面部と前記拡幅面部との境界部は、前記水滴落下誘導用凸部位置が最も下方に位置するよう傾斜して構成されてなり、
前記水滴落下誘導用凸部の下端部が前記傾斜部よりも下側に突出しているよう構成されてなる
ことを特徴とする請求項１〜請求項６いずれかの容器。
【請求項８】
前記蓋体の側面部は、天面部に繋がる上側面部と、前記上側面部の下端に繋がり、該上側面部の外側に拡がる拡幅面部と、前記拡幅面部の外端に繋がる下側面部とを有し、
前記蓋体の閉蓋時において、前記上側面部と前記容器本体とは０．５〜４ｍｍ離間しているよう構成されてなる
ことを特徴とする請求項１〜請求項７いずれかの容器。
【請求項９】
前記蓋体の側面部は、天面部に繋がる上側面部と、前記上側面部の下端に繋がり、該上側面部の外側に拡がる拡幅面部と、前記拡幅面部の外端に繋がる下側面部とを有し、
前記蓋体の閉蓋時において、前記拡幅面部と前記容器本体とは０．５〜４ｍｍ離間しているよう構成されてなる
ことを特徴とする請求項１〜請求項８いずれかの容器。
【請求項１０】
請求項１〜請求項９いずれかの容器における蓋体。
【発明の詳細な説明】
【技術分野】
【０００１】
本発明は蓋体および容器に関する。特に、開蓋した際、水滴が周囲に飛散することが少ないので、衣服などを汚すことが少ない容器に関する。
【背景技術】
【０００２】
容器本体と蓋体とで構成される容器が、今日、広く用いられている。例えば、惣菜や弁当を入れる容器として広く用いられている。
【先行技術文献】
【特許文献】
【０００３】
【特許文献１】特開２００９−２９４６３
【発明の概要】
【発明が解決しようとする課題】
【０００４】
ところで、暖かな食材を容器に入れた際、暖かな食材から発生する水蒸気が蓋体の内面に当たり、ここで冷却され、水滴として蓋体内面に付着する。又、食するに際して、食材を暖める為、容器を電子レンジに入れて加熱した場合にも、暖められた食材から発生した水蒸気が蓋体の内面に当たり、ここで冷却され、水滴として蓋体内面に付着する。
【０００５】
そして、水滴が付着している蓋体を容器本体から取り外して開けた場合、蓋体内面に付着している水滴が周囲に飛び散り、衣服を汚したりするようになる。中でも、蓋体の側面部に付着している水滴は、開蓋した際、周囲に飛び散り易く、手や衣服を汚す恐れが高い。
【０００６】
従って、本発明が解決しようとする課題は、開蓋した際に、水滴が周囲に飛び散り難く、衣服などを汚す恐れが少ない容器を提供することである。
【課題を解決するための手段】
【０００７】
前記の課題は、
容器本体と、前記容器本体の開口部を閉蓋する天面部および側面部を有する蓋体とを具備した容器において、
前記蓋体の側面部の内面に付着した水滴が前記容器本体内に落下するのを誘導する為の水滴落下誘導用凸部が、該蓋体の側面部内面に構成されてなる
ことを特徴とする容器によって解決される。
【０００８】
又、容器本体と、前記容器本体の開口部を閉蓋する天面部および側面部を有する蓋体とを具備した容器において、
前記蓋体の側面部の内面に付着した水滴が前記容器本体における稜線部より内側の位置に落下するのを誘導する為の水滴落下誘導用凸部が、該蓋体の側面部内面に構成されてなる
ことを特徴とする容器によって解決される。
【０００９】
又、上記の容器であって、好ましくは、前記水滴落下誘導用凸部の横幅寸法が上部から下部に向って連続的に小さくなる形状に構成されてなることを特徴とする容器によって解決される。
【００１０】
又、上記の容器であって、好ましくは、前記水滴落下誘導用凸部の下端における横幅寸法が４ｍｍ以下であることを特徴とする容器によって解決される。
【００１１】
又、上記の容器であって、好ましくは、前記側面部に対する垂直な断面における前記水滴落下誘導用凸部の形状が略レ字形状に構成されてなることを特徴とする容器によって解決される。
【００１２】
又、上記の容器であって、好ましくは、前記蓋体の側面部は、天面部に繋がる上側面部と、前記上側面部の下端に繋がり、該上側面部の外側に拡がる拡幅面部と、前記拡幅面部の外端に繋がる下側面部とを有し、前記上側面部は、前記蓋体の閉蓋時において、前記容器本体の開口部の内側に位置するよう構成されたものであり、前記水滴落下誘導用凸部は前記上側面部に設けられてなることを特徴とする容器によって解決される。
【００１３】
又、上記の容器であって、好ましくは、前記蓋体の側面部は、天面部に繋がる上側面部と、前記上側面部の下端に繋がり、該上側面部の外側に拡がる拡幅面部と、前記拡幅面部の外端に繋がる下側面部とを有し、前記上側面部と前記拡幅面部との境界部は、前記水滴落下誘導用凸部位置が最も下方に位置するよう傾斜して構成されてなり、前記水滴落下誘導用凸部の下端部が前記傾斜部よりも下側に突出しているよう構成されてなることを特徴とする容器によって解決される。
【００１４】
又、上記の容器であって、好ましくは、前記蓋体の側面部は、天面部に繋がる上側面部と、前記上側面部の下端に繋がり、該上側面部の外側に拡がる拡幅面部と、前記拡幅面部の外端に繋がる下側面部とを有し、前記蓋体の閉蓋時において、前記上側面部と前記容器本体とは０．５〜４ｍｍ離間しているよう構成されてなることを特徴とする容器によって解決される。
【００１５】
又、上記の容器であって、好ましくは、前記蓋体の側面部は、天面部に繋がる上側面部と、前記上側面部の下端に繋がり、該上側面部の外側に拡がる拡幅面部と、前記拡幅面部の外端に繋がる下側面部とを有し、前記蓋体の閉蓋時において、前記拡幅面部と前記容器本体とは０．５〜４ｍｍ離間しているよう構成されてなることを特徴とする容器によって解決される。
【００１６】
又、上記の容器に用いられた蓋体によって解決される。
【発明の効果】
【００１７】
開蓋した際に、水滴が周囲に飛び散り難く、衣服などを汚す恐れが少ない。
【図面の簡単な説明】
【００１８】
【図１】内面（下方）側から眺めた蓋体の斜視図
【図２】水滴落下誘導用凸部が設けられている位置での蓋体の端面図
【図３】容器本体の稜線部（上端平坦面部）位置での容器の端面図
【図４】蓋体の正面図（意匠正面図）
【図５】容器の背面図（意匠背面図）
【図６】蓋体の平面図（意匠平面図）
【図７】蓋体の底面図（意匠底面図）
【図８】蓋体の右側面図（意匠右側面図）
【図９】蓋体の左側面図（意匠左側面図）
【図１０】水滴落下誘導用凸部が奏する水滴落下誘導の説明図
【図１１】水滴落下誘導を奏さない場合の説明図
【図１２】蓋体の正面図（水滴落下誘導用凸部６ａの部分意匠の正面図）
【図１３】蓋体の背面図（部分意匠の背面図）
【図１４】蓋体の平面図（部分意匠の平面図）
【図１５】蓋体の底面図（部分意匠の底面図）
【図１６】蓋体の右側面図（部分意匠の右側面図）
【図１７】蓋体の左側面図（部分意匠の左側面図）
【図１８】開蓋状態における容器の斜視図
【発明を実施するための形態】
【００１９】
本発明は容器である。この本発明の容器は、容器本体と、この容器本体の開口部を閉蓋する天面部および側面部を有する蓋体とを具備する。前記蓋体は、蓋体の側面部の内面に付着した水滴が前記容器本体内に落下するのを誘導する為の水滴落下誘導用凸部を具備する。この水滴落下誘導用凸部は前記蓋体の側面部内面に設けられている。前記水滴落下誘導用凸部は、好ましくは、前記蓋体の側面部の内面に付着した水滴の前記容器本体内への落下誘導位置が該容器本体における稜線部より内側の位置であるように設けられている。そして、前記水滴落下誘導用凸部は、特に、好ましくは、その横幅寸法が上部から下部に向って連続的に小さくなる形状に構成されている。中でも、後述の上側面部と後述の拡幅面部との境界部（境界ライン）より上方の位置から前記境界部（境界ライン）より下方の位置に亘って水滴落下誘導用凸部は設けられており、そして該水滴落下誘導用凸部は、その横幅寸法が上部から下部に向って連続的に小さくなる形状に構成されている。水滴落下誘導用凸部が設けられている側面部を正面から眺めた場合、水滴落下誘導用凸部は、例えば略Ｖ形状とか略Ｙ形状の如くに構成されているのが好ましい。斯くの如きの形状の場合に、水滴が、効果的に、容器本体内部に落下誘導される。前記水滴落下誘導用凸部は、好ましくは、その下端における横幅寸法が４ｍｍ以下（更には、３ｍｍ以下。中でも、２ｍｍ以下）である。尚、下限値は０でも良い。但し、下端においても幾許かの寸法が有るのが現実であろうかとも思われる。例えば、水滴落下誘導用凸部の下端における横幅寸法が、現実的には、短くても、０．０１ｍｍ程度は有るであろう。前記水滴落下誘導用凸部は、好ましくは、側面部に対する垂直な断面での形状が略レ字形状に構成されている。前記蓋体の側面部は、例えば天面部に繋がる上側面部と、前記上側面部の下端に繋がり、該上側面部の外側に拡がる拡幅面部と、前記拡幅面部の外端に繋がる下側面部とを有する。前記上側面部は、好ましくは、前記蓋体の閉蓋時において、前記容器本体の開口部の内側（後述の稜線部（上端平坦面部）より内側）に位置するよう構成されたものである。そして、前記水滴落下誘導用凸部は前記上側面部に設けられる。前記上側面部と前記拡幅面部との境界部（境界ライン）は、好ましくは、前記水滴落下誘導用凸部位置が最も下方に位置するよう傾斜（例えば、Ｖ形状に傾斜）して構成されたものである。そして、前記水滴落下誘導用凸部の下端部が前記境界部（境界ライン）よりも下側に突出しているよう構成されているのが好ましい。すなわち、このような構成とすることによって、水滴が、効果的に、容器本体内部に誘導されて落下する。前記蓋体の閉蓋時において、前記上側面部と前記容器本体とは、０．５ｍｍ以上（更には、０．７ｍｍ以上。特に、１ｍｍ以上。）で、４ｍｍ以下（更には、３ｍｍ以下。特に、２ｍｍ以下）の距離は離間しているよう構成されていることが好ましい。又、前記蓋体の閉蓋時において、前記拡幅面部と前記容器本体とは、０．５ｍｍ以上（更には、０．７ｍｍ以上。特に、１ｍｍ以上。）で、４ｍｍ以下（更には、３ｍｍ以下。特に、２ｍｍ以下）の距離は離間しているよう構成されていることが好ましい。すなわち、側面部（拡幅面部）と容器本体（稜線部：上端平坦面部）との間に隙間が無い場合、或いは小さな寸法の隙間しか無い場合には、蓋体の側面部に付着している水滴が毛細管現象によって拡幅面部と容器本体（稜線部：上端平坦面部）との間に嵌り込み、開蓋するまで、ここに、水滴は貼り付いてしまったかの如くになり、前記嵌まり込んでしまった水滴が容器本体内に誘導落下され難くなり、側面部と容器本体との間に嵌り込んだ水滴が開蓋した際に周囲に飛散し易い恐れが高かったからである。
【００２０】
他の本発明は蓋体である。すなわち、上記容器において用いられた蓋体である。言い換えるならば、上記容器における容器本体を除いた構成の蓋体である。
【００２１】
以下、更に詳しく説明する。
図１〜図１８は本発明になる容器（蓋体）の一実施形態を説明する為のものであり、図１は内面（下方）側から蓋体を眺めた蓋体の斜視図、図２は水滴落下誘導用凸部が設けられている位置での蓋体の端面図（図４中、Ａ−Ａ線における断面での端面図）、図３は容器本体の稜線部（上端平坦面部：図５中、Ｂ−Ｂ線部）位置での容器の端面図、図４は蓋体の正面図、図５は蓋体の背面図、図６は蓋体の平面図、図７は蓋体の底面図、図８は蓋体の右側面図、図９は蓋体の左側面図、図１０は本発明の水滴落下誘導用凸部が奏する水滴落下誘導の説明図、図１１は水滴落下誘導を奏さない場合の説明図、図１２は蓋体の正面図（部分意匠図）、図１３は蓋体の背面図（部分意匠図）、図１４は蓋体の平面図（部分意匠図）、図１５は蓋体の底面図（部分意匠図）、図１６は蓋体の右側面図（部分意匠図）、図１７は蓋体の左側面図（部分意匠図）、図１８は開蓋状態における容器の斜視図である。
【００２２】
各図中、Ａは樹脂製の容器本体である。すなわち、所定厚の不透明な樹脂シートが所定形状に成形されたものである。尚、容器本体Ａは、その上端平坦面部（稜線部）５０ａ，５０ｂ，５０ｃ，５０ｄが、図３，１８からも判る通り、左右方向における真中位置５１ａ，５１ｂ，５１ｃ，５１ｄは低く下がり、左右の両端部５２ａ，５２ｂ，５２ｃ，５２ｄ，５３ａ，５３ｂ，５３ｃ，５３ｄの位置で高く上がった形状（例えば、略Ｖ形状）に成形されたものである。尚、上端平坦面部（稜線部）５０ａ，５０ｂ，５０ｃ，５０ｄにおける平坦幅は、例えば１〜５ｍｍ程度である。上端平坦面部（稜線部）５０ａ，５０ｂ，５０ｃ，５０ｄは、恰も、尾根道の如きの形状である。５４は、容器本体Ａの上方開口部である。５５ａ，５５ｂ，５５ｃ，５５ｄは、容器本体Ａの側面部の内面に形成された凹状の導水滴路である。この導水滴路５５ａ，５５ｂ，５５ｃ，５５ｄ（５５ａ，５５ｄは図示されず）は、後述の水滴落下誘導用凸部６ａ，６ｂ，６ｃ，６ｄに対応して設けられている。
【００２３】
Ｂは、容器本体Ａの上方開口部５４を閉蓋する為の本発明になる蓋体である。尚、一時掛止されている蓋体Ｂが開蓋できることは言うまでも無い。この蓋体Ｂも、所定厚の透明（光透過性）樹脂シートが所定形状に成形されたものである。
【００２４】
蓋体Ｂは、略四角形状の透明な天面部１を有する。又、天面部１に繋がる透明な側面部２を有する。
【００２５】
側面部２は、内角が略１００〜１２０°程度で略四角形状の天面部１に交差・連結する上側面部３ａ，３ｂ，３ｃ，３ｄと、上側面部３ａ，３ｂ，３ｃ，３ｄの下端部から略水平方向で外側に拡がる拡幅面部４ａ，４ｂ，４ｃ，４ｄと、内角が略９０〜１００°程度で拡幅面部４ａ，４ｂ，４ｃ，４ｄの外端部に交差・連結する下側面部５ａ，５ｂ，５ｃ，５ｄとを有する。
【００２６】
上側面部３ａ，３ｂ，３ｃ，３ｄと下側面部５ａ，５ｂ，５ｃ，５ｄとを連結している拡幅面部４ａ，４ｂ，４ｃ，４ｄは、図１，３，４，５，８，９，１０，１８からも判る通り、左右方向における真中位置が低く下がり、左右の両端部の位置で高く上がった形状（断面が、例えば略Ｖ形状）に成形されている。すなわち、蓋体Ｂで容器本体Ａの上方開口部５４を閉蓋した場合、拡幅面部４ａ，４ｂ，４ｃ，４ｄが容器本体Ａの上端平坦面部（稜線部）５０ａ，５０ｂ，５０ｃ，５０ｄに対向して位置するものとなることから、拡幅面部４ａ，４ｂ，４ｃ，４ｄは、左右方向における真中位置が低く下がり、左右の両端部の位置で高く上がった形状（例えば、略Ｖ形状）に成形されている。尚、閉蓋時において、蓋体Ｂの拡幅面部４ａ，４ｂ，４ｃ，４ｄは容器本体Ａの上端平坦面部（稜線部）５０ａ，５０ｂ，５０ｃ，５０ｄに対向して位置しているものの、蓋体Ｂの上側面部３ａ，３ｂ，３ｃ，３ｄおよび拡幅面部４ａ，４ｂ，４ｃ，４ｄと容器本体Ａの上端平坦面部（稜線部）５０ａ，５０ｂ，５０ｃ，５０ｄとの間には、所定寸法、例えば０．７〜３ｍｍ程度（最も接近した箇所で０．７ｍｍ程度、最も離れた箇所で２〜３ｍｍ程度）の間隙が存するように容器本体Ａと蓋体Ｂとは構成されている。すなわち、蓋体Ｂは蓋であることから、閉蓋時には何処かの箇所（例えば、四隅の角部における下端部近傍の箇所）で蓋体Ｂは容器本体Ａに当接（掛止）しているものの、本実施形態の容器にあっては、蓋体Ｂの上側面部３ａ，３ｂ，３ｃ，３ｄおよび拡幅面部４ａ，４ｂ，４ｃ，４ｄは容器本体Ａに接触していない（図３参照）。そして、単に、当接していないと言うだけでは無く、所定の寸法（例えば、０．５ｍｍ）以上の距離が保たれるように離れている。これは、蓋体Ｂの上側面部３ａ，３ｂ，３ｃ，３ｄの内面に付着している水滴が内面に沿って下方に落ちて来た場合、蓋体Ｂの拡幅面部４ａ，４ｂ，４ｃ，４ｄと容器本体Ａの上端平坦面部（稜線部）５０ａ，５０ｂ，５０ｃ，５０ｄとの間の隙間に水滴が毛細管現象によって入り込むのを効果的に防止する為である。つまり、蓋体Ｂの拡幅面部４ａ，４ｂ，４ｃ，４ｄと容器本体Ａの上端平坦面部（稜線部）５０ａ，５０ｂ，５０ｃ，５０ｄとの間の隙間が小さいと、上側面部３ａ，３ｂ，３ｃ，３ｄと拡幅面部４ａ，４ｂ，４ｃ，４ｄとの境界ラインに落下して来た水滴は、毛細管現象によって、上記隙間に入り込み易いものの、蓋体Ｂの拡幅面部４ａ，４ｂ，４ｃ，４ｄと容器本体Ａの上端平坦面部（稜線部）５０ａ，５０ｂ，５０ｃ，５０ｄとの間の隙間が上記の如く大きなものであると、水滴は、逆に、上記隙間に入り込み難いものとなる。従って、蓋体Ｂの拡幅面部４ａ，４ｂ，４ｃ，４ｄと容器本体Ａの上端平坦面部（稜線部）５０ａ，５０ｂ，５０ｃ，５０ｄとの間の隙間が上記の如きのものであることが好ましい。上側面部３ａ，３ｂ，３ｃ，３ｄの内面に沿って上方から下方に向かって拡幅面部４ａ，４ｂ，４ｃ，４ｄとの境界ライン（略Ｖ形状のライン）まで落下して来た水滴は、拡幅面部４ａ，４ｂ，４ｃ，４ｄが水平方向に外側に拡がった面であることから、その箇所で、それ以上は下方に落下することは無い。その代わり、上側面部３ａ，３ｂ，３ｃ，３ｄと拡幅面部４ａ，４ｂ，４ｃ，４ｄとの境界ラインが、上述の通り、略Ｖ形状に構成されていることから、その左右の箇所から真中の位置に滑り落ちて来るようになる。すなわち、上側面部３ａ，３ｂ，３ｃ，３ｄの最も低い位置（左右方向において略真中の位置）に水滴が集って来るように上側面部３ａ，３ｂ，３ｃ，３ｄと拡幅面部４ａ，４ｂ，４ｃ，４ｄとの境界ラインが構成されている。
【００２７】
上記水滴が左右から集まって来るように構成された箇所（真中位置）には、水滴落下誘導用凸部６ａ，６ｂ，６ｃ，６ｄが設けられている。この水滴落下誘導用凸部６ａ，６ｂ，６ｃ，６ｄは、側壁面が内側に押し遣られ、かつ、下端部が上側面部３ａ，３ｂ，３ｃ，３ｄと拡幅面部４ａ，４ｂ，４ｃ，４ｄとの境界ラインよりも下側に突出しているように押し遣られた形状に成形されている。すなわち、この水滴落下誘導用凸部６ａ，６ｂ，６ｃ，６ｄ（側面部２）を正面から眺めた場合、水滴落下誘導用凸部６ａ，６ｂ，６ｃ，６ｄは、その上側が底辺となる二等辺三角形状（上端部における左右方向の長さ（横幅）ｍ１が５〜２０ｍｍ程度。下端部における左右方向の長さ（横幅）ｍ２が５ｍｍ以下（例えば、０．５〜３ｍｍ）程度。上側面部３ａ，３ｂ，３ｃ，３ｄと拡幅面部４ａ，４ｂ，４ｃ，４ｄとの境界位置（境界ライン）における左右方向の長さ（横幅）ｍ３が５ｍｍ以下（例えば、０．５〜３ｍｍ）程度。上下方向の長さが７〜２０ｍｍ程度。左斜辺は、下側に行くにつれて連続的に右側に移る。右斜辺は、下側に行くにつれて連続的に左側に移る。）に成形されている。又、水滴落下誘導用凸部６ａ，６ｂ，６ｃ，６ｄは、上側面部３ａ，３ｂ，３ｃ，３ｄに対して垂直な面での断面が、図２からも判る通り、略レ字形状に成形されている。すなわち、上側面部３ａ，３ｂ，３ｃ，３ｄに対して垂直な方向における水滴落下誘導用凸部６ａ，６ｂ，６ｃ，６ｄの幅（縦幅）寸法が下端側ほど小さなものとなるよう成形されている。例えば、上側面部３ａ，３ｂ，３ｃ，３ｄと拡幅面部４ａ，４ｂ，４ｃ，４ｄとの境界位置（境界ライン）における水滴落下誘導用凸部６ａ，６ｂ，６ｃ，６ｄの幅（縦幅）寸法ｎ１は１〜５ｍｍ程度、下端（先端）における水滴落下誘導用凸部６ａ，６ｂ，６ｃ，６ｄの幅（縦幅）寸法ｎ２は２ｍｍ程度以下、ｎ２＜ｎ１であるように成形されている。
【００２８】
そして、凸部６ａ，６ｂ，６ｃ，６ｄ及びその周辺位置での形状を上記のような構成のものとしたから、凸部６ａ，６ｂ，６ｃ，６ｄの隣接位置まで到達して来た水滴は効果的に容器本体Ａ内に誘導落下する。すなわち、図１０に示される通り、上側面部３ａ，３ｂ，３ｃ，３ｄと拡幅面部４ａ，４ｂ，４ｃ，４ｄとの略Ｖ形状の境界ラインに誘導されて（境界ラインに沿って）凸部６ａ，６ｂ，６ｃ，６ｄの隣接位置まで到達して来た水滴は、凸部６ａ，６ｂ，６ｃ，６ｄの左右のラインに沿って下側に移行するや否やの時点で合体（凸部６ａ，６ｂ，６ｃ，６ｄの両側を伝わって来た水滴が合体）する。そして、合体した水滴は、合体によって重みが増すことから、凸部６ａ，６ｂ，６ｃ，６ｄの幅狭な下端から離脱・落下し、容器本体Ａで受け止められる。
【００２９】
これに対して、凸部が上記した凸部６ａ，６ｂ，６ｃ，６ｄの如きの形状では無く、かつ、凸部近傍における蓋体の上側面部と拡幅面部との境界ラインが傾斜してない略水平な場合、又、蓋体の拡幅面部と容器本体の上端平坦面部（稜線部）とが接しているか離れていても離間寸法が小さい場合、即ち、図１１に示される如くの形状である場合、水滴誘導落下の機能が奏されないものであった。つまり、上側面部と拡幅面部との境界ラインが全般的には略円弧状のものであって左右の側から真中の方向に水滴が移動して来るようになっていても、凸部１１の近傍で境界ラインが略水平なものになっていると、水滴が凸部１１の位置まで移動して来るには長時間を要する。そして、拡幅面部と容器本体との間の隙間が小さいと、上側面部と拡幅面部との境界ラインに沿っての移動の間に水滴は毛細管現象によって拡幅面部と容器本体との間の隙間に嵌まり込み、その位置で水滴は貼り付いた如きのものになる。その結果、その位置に水滴が保持されてしまい、蓋を開けた際に水滴が弾けるように飛散するものであった。又、凸部１１と凸部１１の下端中央部に臍の如くに設けられた凸部１１ａとの横幅寸法が、連続的に変化した形状では無く、図１１に示される如く、上側面部と拡幅面部との境界ラインにおいて不連続的に変化したものになっていると、例えば点Ｘと点Ｙとの間の距離が５ｍｍ程度も有ると、点Ｘの位置まで誘導されて来た水滴は点Ｙの位置にまでは移動し難く、その結果、凸部１１ａの下端から水滴が誘導・落下され難いものであった。
【符号の説明】
【００３０】
Ａ                              容器本体
５０ａ，５０ｂ，５０ｃ，５０ｄ  上端平坦面部（稜線部）
５１ａ，５１ｂ，５１ｃ，５１ｄ  真中位置
５４                            上方開口部
Ｂ                              蓋体
１                              天面部
２                              側面部
３ａ，３ｂ，３ｃ，３ｄ          上側面部
４ａ，４ｂ，４ｃ，４ｄ          拡幅面部
５ａ，５ｂ，５ｃ，５ｄ          下側面部
６ａ，６ｂ，６ｃ，６ｄ          水滴落下誘導用凸部
【図１】
2010264996.tif 000003
【図２】
2010264996.tif 000004
【図３】
2010264996.tif 000005
【図４】
2010264996.tif 000006
【図５】
2010264996.tif 000007
【図６】
2010264996.tif 000008
【図７】
2010264996.tif 000009
【図８】
2010264996.tif 000010
【図９】
2010264996.tif 000011
【図１０】
2010264996.tif 000012
【図１１】
2010264996.tif 000013
【図１２】
2010264996.tif 000014
【図１３】
2010264996.tif 000015
【図１４】
2010264996.tif 000016
【図１５】
2010264996.tif 000017
【図１６】
2010264996.tif 000018
【図１７】
2010264996.tif 000019
【図１８】
2010264996.tif 000020